(57)【要約】      （修正有）【課題】製造コストが低廉で、構造が簡単でかつ組立分解が容易な、ちり取りに用いても使い勝手のよい、１枚の板状体を組み立ててなる組立式収納具兼ちり取りを提供する。【解決手段】前板１１と後板１２とは折り曲げ可能に連結され、前板１１と後板１２とを前記連結部分１３から離れるにつれ横幅を広く形成し、前板１１の横幅を後板１２の横幅より広く形成し、前板１１の側辺近傍に折曲片１１ｃを設け、折曲片１１ｃに内側に向かう舌片１１ｅを設け、スリット１２ａを後板１２の側辺近傍に設け、前板１１に水切り孔１１ａを設け、後板１２に壁面への固定部材を取り外し可能に取り付け、前板１１に前板１１の一部を引き起こしたタブ１１ｂを設け、板状体を前記連結部分１３において折り曲げて前板１１と後板１２とを対向させ、前板１１を横方向に弧状に撓ませ、前板１１と後板１２の側辺同士をほぼ重ね合わせた状態で舌片１１ｅをスリット１２ａに差込み係止して組み立てるように構成したのである。【選択図】図１
0003113863.tif 000002
【実用新案登録請求の範囲】
【請求項１】
弾性素材の１枚の板状体を組み立てて形成する組立式収納具兼ちり取りにおいて、前記板状体は、前板と後板とからなり、前板と後板とは折り曲げ可能に連結され、前板を前記前板と後板との連結部分から離れるにつれ横幅を広く形成し、前板の側辺近傍に舌片を設け、後板にスリットを設け、前記板状体を前記連結部分において折り曲げて前板と後板とを対向させ、前板を横方向に弧状に撓ませ、舌片をスリットに差込み係止して組み立てる組立式収納具兼ちり取り。
【請求項２】
後板を連結部分から離れるにつれ横幅を広く形成し、前板の横幅を後板の横幅より広く形成し、スリットを後板の側辺近傍に設け、前記板状体を前板と後板との連結部分において折り曲げて前板と後板とを対向させ、前板を横方向に弧状に撓ませ、前板と後板の側辺同士を重ね合わせた状態で、舌片をスリットに差込み係止して組み立てる請求項１に記載の組立式収納具兼ちり取り。
【請求項３】
前板の側辺近傍に折り曲げ可能な折曲片を設け、折曲片に内側に向かう舌片を設け、前記前板と後板との連結部分において折り曲げて前板と後板とを対向させ、前板を横方向に弧状に撓ませ、折曲片を折り曲げて後板の表面または裏面に当接させ、舌片をスリットに差込み係止して組み立てる請求項１に記載の組立式収納具兼ちり取り。
【請求項４】
前板と後板のいずれか一方または双方に水切り孔を設けた請求項１から３のいずれかに記載の組立式収納具兼ちり取り。
【請求項５】
後板に壁面への固定部材を取り外し可能に取り付けた請求項１から４のいずれかに記載の組立式収納具兼ちり取り。
【請求項６】
前板に前板の一部を引き起こしてなるタブを設けた請求項１から５のいずれかに記載の組立式収納具兼ちり取り。
【請求項７】
前記弾性素材は透明の半硬質プラスチックである請求項１から６のいずれかに記載の組立式収納具兼ちり取り。
【考案の詳細な説明】
【技術分野】
【０００１】
この考案は、弾性素材の１枚の板状体を組み立てて形成する組立式収納具兼ちり取りに関する。
【背景技術】
【０００２】
従来から、１枚の板状体を組み立ててなる組立式収納具が存在するが、どれも構造が複雑であり、組立分解に時間がかかるとともに、複雑な形状のため製造コストが高い問題があった。また、このような組み立て式収納具をちり取りとして用いることも可能ではあるが、通常そのような使用方法は想定されておらず、使い勝手が悪かった。
【考案の開示】
【考案が解決しようとする課題】
【０００３】
そこでこの考案の解決すべき課題は、製造コストが低廉で、構造が簡単でかつ組立分解が容易な、ちり取りに用いても使い勝手のよい、１枚の板状体を組み立てて形成される組立式収納具兼ちり取りを提供することである。
【課題を解決するための手段】
【０００４】
上記した課題を解決するため、この考案は、弾性素材の１枚の板状体を組み立てて形成する組立式収納具兼ちり取りにおいて、前記板状体は、前板と後板とからなり、前板と後板とは折り曲げ可能に連結され、前板を前記前板と後板との連結部分から離れるにつれ横幅を広く形成し、前板の側辺近傍に舌片を設け、後板にスリットを設け、前記板状体を前記連結部分において折り曲げて前板と後板とを対向させ、前板を横方向に弧状に撓ませ、舌片をスリットに差込み係止して組み立てる構成を採用したのである。
【０００５】
上記組み立て式収納具兼ちり取りにおいて、後板を連結部分から離れるにつれ横幅を広く形成し、前板の横幅を後板の横幅より広く形成し、スリットを後板の側辺近傍に設け、前記板状体を前板と後板との連結部分において折り曲げて前板と後板とを対向させ、前板を横方向に弧状に撓ませ、前板と後板の側辺同士を重ね合わせた状態で、舌片をスリットに差込み係止して組み立てるように構成すると好ましい。
【０００６】
上記組み立て式収納具兼ちり取りにおいて、前板の側辺近傍に折り曲げ可能な折曲片を設け、折曲片に内側に向かう舌片を設け、前記前板と後板との連結部分において折り曲げて前板と後板とを対向させ、前板を横方向に弧状に撓ませ、折曲片を折り曲げて後板の表面または裏面に当接させ、舌片をスリットに差込み係止して組み立てるように構成するとなお好ましい。
【０００７】
また、前板と後板のいずれか一方または双方に水切り孔を設け、後板に壁面への固定部材を取り外し可能に取り付け、前板に前板の一部を引き起こしてなるタブを設けるとさらに好ましい。なお、弾性素材は透明の半硬質プラスチック製とするのがよい。
【考案の効果】
【０００８】
弾性素材の１枚の板状体を組み立ててなる組立式収納具兼ちり取りにおいて、前記板状体は、前板と後板とからなり、前板と後板とは折り曲げ可能に連結され、前板を前記前板と後板との連結部分から離れるにつれ横幅を広く形成し、前板の側辺近傍に舌片を設け、後板にスリットを設け、前記板状体を前記連結部分において折り曲げて前板と後板とを対向させ、前板を横方向に弧状に撓ませ、舌片をスリットに差込み係止して組み立てるようにすると、構造が簡単であるため製造コストが安価であり、また組立分解が容易である。さらに、ちり取りとして用いる場合にも、平板状の後板を下に、ドーム状に湾曲した前板を上にすると、前板と後板とで囲まれ形成された収納部に塵埃を導きやすく、非常に使い勝手がよい。
【０００９】
さらに、後板を連結部分から離れるにつれ横幅を広く形成し、前板の横幅を後板の横幅より広く形成し、スリットを後板の側辺近傍に設け、前記板状体を前板と後板との連結部分において折り曲げて前板と後板とを対向させ、前板を横方向に弧状に撓ませ、前板と後板の側辺同士を重ね合わせた状態で、舌片をスリットに差込み係止して組み立てるように構成すると、収納具の収納部が開口に向かい広がっているため物品を収納しやすくなりちり取りとしても塵埃を収容しやすく、また、前板の側辺と後板の側辺がほぼ重ね合わさるため、後板の側辺近辺が出っ張らず体裁がよい。
【００１０】
さらに、前板の側辺近傍に折り曲げ可能な折曲片を設け、折曲片に内側に向かう舌片を設け、前記前板と後板との連結部分において折り曲げて前板と後板とを対向させ、前板を横方向に弧状に撓ませ、折曲片を折り曲げて後板の表面または裏面に当接させ、舌片をスリットに差込み係止して組み立てるように構成すると、収納具に重たい物品を収納するなどして外側方向に向けて前板と後板との係合が解除されるような力がかかっても、舌片がスリットに内側から外側に向けて差し込まれているため、舌片がスリットから脱落し、収納具が分解する恐れがなくなる。
【００１１】
また、前板と後板のいずれか一方または双方に水切り孔を設けると、収納具に濡れた物品を収納した際に水切りができるため便利である。
【００１２】
後板に壁面への固定部材を取り外し可能に取り付けると、収納具として用いる場合には、壁面に固定でき、ちり取りとして用いる場合には、固定部材を取り外して塵埃収納の邪魔にならず便利である。
【００１３】
前板に前板の一部を引き起こしてなるタブを設けると、ちり取りとして用いる際に、このタブをつかむと、操作しやすく便利である。
【００１４】
弾性素材は透明の半硬質プラスチック製とすると、撓ませるのに適度な弾性を持ちつつも十分な強度を持ち、製造時の加工が容易で、製造コストが安価である。また透明であるため収納物が外部から見えて便利である。
【考案を実施するための最良の形態】
【００１５】
以下図面を参照しつつ、この考案の実施の形態について説明する。図１はこの考案にかかる組み立て式収納具兼ちり取り１０の展開状態を示す。組み立て式収納具兼ちり取り１０は、透明の半硬質プラスチックを打ち抜いた一枚の板状体であり安価に製造することができる。図示のように、前板１１と後板１２とがハーフカットされた折れ線１３により連結されている。前板１１と後板１２はともに折れ線１３から遠ざかるにつれ横幅が広がるほぼ台形状の形状をしており、前板１１のほうが後板１２よりも横幅が広い。また、前板１１より後板１２のほうが縦に長い。
【００１６】
さらに詳細に見ると、前板１１にはほぼ全面にわたって水切り孔１１ａが設けられており、前板１１のほぼ中央には、タブ１１ｂが設けられ、ハーフカットされた折れ線を介して引き起こし可能となっている。前板１１の側辺近辺は、側辺にほぼ平行にハーフカットされた折れ線により、折り曲げ可能な折曲片１１ｃを形成する。折曲片１１ｃ外端には半円状に膨出する膨出部１１ｄが設けられ、膨出部１１ｄ内に内側に向かう半円状の舌片１１ｅが設けられている。後板１２の側辺近辺には、側辺にほぼ平行にスリット１２ａが設けられ、中央上部には後述する吸盤１４を取り付ける取り付け孔１２ｂが設けられている。
【００１７】
組み立て式収納具兼ちり取り１０を組み立てるには、まず図２(ａ)のように、折れ線１３を折り曲げて、前板１１と後板１２とを向かい合わせる。次に図２(ｂ)のように、前板を円弧状に撓ませる。最後に図２(ｃ)のように、折曲片１１ｃを折り曲げて後板１２の裏面に当接させ、舌片１１ｅをスリット１２ａに内側から外側に向けて差し込む。分解する場合にはこの逆の手順を踏めばよい。このように、簡単に組立分解することができる。
【００１８】
このようにして組み立てられた収納具兼ちり取り１０には様々なものを収納することができるが、例えば洗面台近くに置いて、洗面時に濡れた洗顔フォームのチューブやタオル、歯磨き時に濡れた歯磨きチューブや歯ブラシを入れておけば、前板１１に設けられた水切り孔１１ａで水切りをすることができ便利である。またこのとき、上記したように舌片１１ｅが内側から外側に向けてスリット１２ａに差し込まれているため、収納物の重み等により、前板１１に外側への力がかかっても舌片１１ｅが外れることはなく分解する恐れはない。
【００１９】
収納具兼ちり取り１０は壁面２０に固定すると使い勝手がよい。そこで、図３のように、前記取り付け孔１２ｂの径が大きい部分に吸盤１４の基部１４ａを挿入し、取り付け孔１２ｂの径が小さい部分に基部１４ａをスライドさせることで後板１２に吸盤１４を取り付け、吸盤１４により壁面２０に固定するとよい。なお壁面２０に固定するための固定具は吸盤１４に限られず磁石、粘着テープなどでもよい。なお、図示のように、取り付け孔１２ｂは、収納具兼ちり取り１０を組み立てた際前板１１と後板１２とで形成される収納部の開口より上に位置するように形成すると、収納の邪魔にならず便利である。
【００２０】
吸盤１４は前記した逆の動作を行えば収納具兼ちり取り１０から容易に取り外し可能である。吸盤１４を取り外し、後板１２を下に前板１１を上にし、収納具兼ちり取り１０を床に接した状態で動かすと前板１１と後板１２から形成される収納部が塵埃を捕捉し、ちり取りとしての機能を発揮することができる。このときタブ１１ｂを引き起こして指でつまむと操作しやすく掃除が一層楽になる。
【図面の簡単な説明】
【００２１】
【図１】収納具兼ちり取りの展開正面図
【図２】収納具兼ちり取りの組み立て順序を示す背面図
【図３】収納具兼ちり取りの収納具としての使用状態を示す斜視図
【図４】収納具兼ちり取りのちり取りとしての使用状態を示す斜視図
【符号の説明】
【００２２】
１０  収納具兼ちり取り
１１  前板
１１ａ  水切り孔
１１ｂ  タブ
１１ｃ  折曲片
１１ｄ  膨出部
１１ｅ  舌片
１２  後板
１２ａ  スリット
１２ｂ  取り付け孔
１３  折れ線
１４  吸盤
１４ａ  基部
２０  壁面
【図１】
0003113863.tif 000003
【図２】
0003113863.tif 000004
【図３】
0003113863.tif 000005
【図４】
0003113863.tif 000006